(57)【特許請求の範囲】
【請求項１】
撮影によって得られるデータを被撮影者に送信するためのデータ送信システムであって、
前記被撮影者によって携帯され、前記送信されてくる撮影によって得られるデータを受信するための携帯端末装置と、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段と、前記撮影によって得られるデータの送信を希望する携帯端末装置を登録しておくための登録テーブルとを有する撮影装置とを備え、
前記携帯端末装置の特定は、前記撮影の結果を利用して、前記被撮影者の顔面または前記被撮影者の保持する所定の標識の何れかをパターン解析することにより行われ、
前記撮影によって得られるデータの送信は、前記特定された携帯端末装置の内の前記登録テーブルに登録されている携帯端末装置に対して行われるデータ送信システム。
【請求項２】
撮影によって得られるデータを所定の携帯端末装置を携帯する被撮影者に送信するための撮影装置であって、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段と、前記撮影によって得られるデータの送信を希望する携帯端末装置を登録しておくための登録テーブルとを備え、
前記携帯端末装置の特定は、前記撮影の結果を利用して、前記被撮影者の顔面または前記被撮影者の保持する所定の標識の何れかをパターン解析することにより行われ、
前記撮影によって得られるデータの送信は、前記特定された携帯端末装置の内の前記登録テーブルに登録されている携帯端末装置に対して行われる撮影装置。
【発明の詳細な説明】
【０００１】
【発明の属する技術分野】
本発明は、たとえば、観光地などでの集合写真の被撮影者への配布を容易に行うためのデータ送信システム、および撮影装置に関する。
【０００２】
【従来の技術】
たとえば、運動会、遠足、修学旅行、入学式、卒業式などの学校行事、ツアー旅行、結婚式における写真の撮影は、今日広く普及している。
【０００３】
これらの配布は、撮影を行った撮影業者などが作成する見本などによって被撮影者が自らの撮影されている写真を選択し、郵便や電話でそれらを注文することにより行われているのが現状である。
【０００４】
【発明が解決しようとする課題】
しかしながら、このような写真の選択や注文は、極めて面倒である。また、写真の撮影から配布までには、かなりの時間がかかってしまうことがしばしばあった。
【０００５】
本発明は、上記従来のこのような課題を考慮し、被撮影者への写真の配布を容易に行うことができるデータ送信システム、および撮影装置を提供することを目的とするものである。
【０００６】
【課題を解決するための手段】
第一の本発明は、撮影によって得られるデータを被撮影者に送信するためのデータ送信システムであって、
前記被撮影者によって携帯され、前記送信されてくる撮影によって得られるデータを受信するための携帯端末装置と、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段と、前記撮影によって得られるデータの送信を希望する携帯端末装置を登録しておくための登録テーブルとを有する撮影装置とを備え、
前記携帯端末装置の特定は、前記撮影の結果を利用して、前記被撮影者の顔面または前記被撮影者の保持する所定の標識の何れかをパターン解析することにより行われ、
前記撮影によって得られるデータの送信は、前記特定された携帯端末装置の内の前記登録テーブルに登録されている携帯端末装置に対して行われるデータ送信システムである。
第二の本発明は、撮影によって得られるデータを所定の携帯端末装置を携帯する被撮影者に送信するための撮影装置であって、
前記被撮影者の撮影を行うための撮影手段と、前記撮影の範囲内に実質上存する携帯端末装置を特定するための特定手段と、前記特定された携帯端末装置に対して前記撮影によって得られるデータを送信するための送信手段と、前記撮影によって得られるデータの送信を希望する携帯端末装置を登録しておくための登録テーブルとを備え、
前記携帯端末装置の特定は、前記撮影の結果を利用して、前記被撮影者の顔面または前記被撮影者の保持する所定の標識の何れかをパターン解析することにより行われ、
前記撮影によって得られるデータの送信は、前記特定された携帯端末装置の内の前記登録テーブルに登録されている携帯端末装置に対して行われる撮影装置である。
【００２５】
【発明の実施の形態】
以下では、本発明または本発明に関連する発明の実施の形態について、図面を参照しつつ説明を行う。
【００２６】
（実施の形態１）
はじめに、本実施の形態の被撮影者に映像を送信するシステムの構成図である図１を主として参照しながら、本実施の形態における被撮影者に映像を送信するシステムの構成について説明する。
【００２７】
本実施の形態の被撮影者に映像を送信するシステムは、被撮影者Ｙ１によって携帯され、撮影によって生成される後述の電子写真Ｐ（図１０参照）のサムネイルデータを受信するための携帯電話１０Ｙ１と、撮影者Ｘの指示によって撮影を行うとともに、撮影範囲Ｄ内の被撮影者Ｙ１によって携帯される携帯電話１０Ｙ１にサムネイルデータを送信するための送信機能付撮影装置２０と、撮影によって生成される電子写真を電子データとして一定期間（本実施の形態においては一ヶ月間）蓄積するための蓄積サーバ３０とを備えている。
【００２８】
なお、本実施の形態の被撮影者に映像を送信するシステムは本発明のデータ送信システムに対応し、送信機能付撮影装置２０は本発明の撮影装置に対応し、携帯電話１０Ｙ１（後述の携帯電話１０Ｙ２〜１０Ｙ４）は本発明の携帯端末装置に対応する。また、本実施の形態のサムネイルデータは撮影によって得られるデータ（正規の撮影イメージの簡易データ）の一例であり、本実施の形態の電子写真は正規の撮影イメージの一例である。
【００２９】
つぎに、主として図２〜４を参照しながら、本実施の形態における被撮影者に映像を送信するシステムの構成についてより詳しく説明する。なお、図２は携帯電話１０Ｙ１の構成図であり、図３は送信機能付撮影装置２０の構成図であり、図４は蓄積サーバ３０の構成図である。
【００３０】
図２に示されているように、携帯電話１０Ｙ１は、（１）送信機能付撮影装置２０（図１参照）側から無線送信されてくる呼びかけを受信したり、（２）その呼びかけに対する応答を無線送信したり、（３）送信機能付撮影装置２０から後述の登録テーブルＴ（図９参照）に基づいて送付されてくるサムネイルデータを受信したりするための、Ｂｌｕｅｔｏｏｔｈ規格に対応したアンテナ１１と、受信されたサムネイルデータを表示するためのディスプレイ１３と、表示されたサムネイルデータを選択し、その選択されたサムネイルデータに対応する電子写真の配布を蓄積サーバ３０に要求するためのキー部１２と、これら各手段の動作を統括制御するための演算部１４とを備えている。
【００３１】
なお、被撮影者Ｙ２、Ｙ３（図示省略）、Ｙ４（図１０参照）によってそれぞれ携帯される携帯電話１０Ｙ２、１０Ｙ３（図示省略）、１０Ｙ４（図１０参照）も、携帯電話１０Ｙ１と同様の構成を有している。
【００３２】
ただし、本実施の形態においては、被撮影者Ｙ２は撮影範囲Ｄ（図１参照）外にいるため撮影の対象にならず、携帯電話１０Ｙ２（図１参照）は後述の登録テーブルＴ（図９参照）にも登録されていない。また、被撮影者Ｙ３は撮影範囲Ｄ外にいるため撮影の対象にならないが、携帯電話１０Ｙ３は後述の登録テーブルＴには登録されている。また、被撮影者Ｙ４は撮影範囲Ｄ内にいるため撮影の対象になるが、携帯電話１０Ｙ４は後述の登録テーブルＴに登録されていない（図９、１０参照）。
【００３３】
図３に示されているように、送信機能付撮影装置２０は、後述の電子写真Ｐ（図１０参照）の生成を行うとともに、撮影範囲Ｄ（図１参照）を検出するための撮像部２１と、（１）携帯電話側への呼びかけを無線送信したり、（２）その呼びかけに対する応答を受信したり、（３）その応答によって上述のようにして検出された撮影範囲Ｄ内に存すると特定された携帯電話１０Ｙ１に対して、後述の登録テーブルＴ（図９参照）に基づいてサムネイルデータを送信したりするための、Ｂｌｕｅｔｏｏｔｈ規格に対応したアンテナ部２２と、これら各手段の動作を統括制御するための演算部２３とを備えている。
【００３４】
撮像部２１は、本実施の形態のズーミングの原理の説明図である図５、および本実施の形態のフォーカッシングの原理の説明図である図６に示されているように、４群のレンズを利用するズーミングやフォーカッシングによって、本実施の形態の電子写真Ｐの説明図である図１０に示されているような電子写真Ｐの生成を行うための手段である（第２群のレンズを移動させることによりズームの比率が変化させられ、第４群のレンズを移動させることでピントが調節される）。そして、撮影範囲Ｄ（図１参照）の検出は、本実施の形態の撮影範囲Ｄの検出の説明図である図７に示されているように、撮像素子（ＣＣＤ）の幅の１／２の長さｈと仮想レンズの焦点距離ｆとを利用して算出されるカメラアングル
【００３５】
【数１】
θ＝ｔａｎ-1（ｈ／ｆ）
を利用して行われる。
【００３６】
アンテナ部２２は、本実施の形態の無線送信の指向性の説明図である図８に示されているように、反射器Ａ１、給電器Ａ２、および複数の導波器Ａ３などから構成される八木アンテナＡを有しており、駆動装置（図示省略）によって導波器Ａ３の数やこれらの間の矢印Ｒで示された方向の互いの間隔を制御することで、無線送信の指向性を検出された撮影範囲Ｄ（図１参照）に調節してそこに存する携帯電話への呼びかけなどを行うための手段である。
【００３７】
演算部２３は、上述のようにして撮影範囲Ｄ（図１参照）内に存すると特定された携帯電話が撮影によって生成される電子写真の送信を希望するか否かを判断する際に利用される、本実施の形態の登録テーブルＴの説明図である図９に示されているような電子写真の送信を希望する携帯電話のアドレスを登録しておくための登録テーブルを保持している。
【００３８】
図４に示されているように、蓄積サーバ３０は、インターネット１を介して、（１）送信機能付撮影装置２０から電子データとして送信されてくる電子写真を受信したり、（２）携帯電話１０Ｙ１（図１参照）から送信されてくる電子写真Ｐ（図１０参照）の配布の要求を受信したり、（３）その要求された電子写真Ｐを送信したりするための送受信部３１と、送信機能付撮影装置２０から送信されてくる電子写真を電子データとして蓄積するための蓄積部３２と、これら各手段の動作を統括制御するための演算部３３とを備えている。
【００３９】
つぎに、本実施の形態の被撮影者に映像を送信するシステムの動作フローチャートである図１１を主として参照しながら、本実施の形態における被撮影者に映像を送信するシステムの動作について説明する。なお、本実施の形態における被撮影者に映像を送信するシステムの動作について説明しながら、本発明に関連する発明のデータ送信方法の一実施例についても説明する。
【００４０】
ステップ１；送信機能付撮影装置２０の演算部２３（図３参照）は、撮影者Ｘの指示に応じて撮像部２１（図３参照）に撮影を行わせて、電子写真Ｐ（図１０参照）およびそのサムネイルデータを電子データとして生成させるとともに、上述の（数１）を利用してカメラアングルθを算出し撮影範囲Ｄの検出を行う。
【００４１】
そして、演算部２３（図３参照）は、検出された撮影範囲Ｄ内に存する携帯電話に対してのブロードキャスト型の無線送信による呼びかけをアンテナ部２２（図３参照）に送信させる（この際、無線送信の指向性は、上述のようにして導波器Ａ３を制御する（図８参照）ことで撮影範囲Ｄに調節される）。
【００４２】
ステップ２；送信機能付撮影装置２０の演算部２３（図３参照）は、アンテナ部２２（図３参照）に、前述のようにして電子データとして生成された電子写真Ｐ（図１０参照）を蓄積サーバ３０側に対して無線送信させる。
【００４３】
なお、電子データとして無線送信された電子写真Ｐは、無線通信中継基地局（図示省略）で中継され、インターネット１（図４参照）を介して蓄積サーバ３０に送信される。そして、蓄積サーバ３０の送受信部３１（図４参照）は、送信機能付撮影装置２０からインターネット１を介して電子データとして送信されてくる電子写真Ｐを受信し、演算部１４（図４参照）は、その受信した電子写真Ｐを電子データとして蓄積部３２に蓄積する。
【００４４】
ステップ３；携帯電話１０Ｙ１のアンテナ１１（図２参照）は、送信機能付撮影装置２０から前述のようにして無線送信されてくる呼びかけを受信し、演算部１４（図２参照）は、その受信された呼びかけに対する送信機能付撮影装置２０への応答をアンテナ部２２に無線送信させる。
【００４５】
なお、携帯電話１０Ｙ４（図示省略）も、携帯電話１０Ｙ１と同様にして、送信機能付撮影装置２０から無線送信されてくる呼びかけを受信して、それに対する送信機能付撮影装置２０への応答を無線送信する。ただし、携帯電話１０Ｙ２および携帯電話１０Ｙ３（図示省略）は、呼びかけの無線送信される撮影範囲Ｄ外にいるため、呼びかけの受信ができない。
【００４６】
ステップ４；送信機能付撮影装置２０のアンテナ部２２（図３参照）は、携帯電話１０Ｙ１および携帯電話１０Ｙ４（図示省略）から無線送信されてくる応答を受信する。
【００４７】
そして、演算部２３（図３参照）は、呼びかけに対する応答を受信した携帯電話１０Ｙ１および携帯電話１０Ｙ４の内、登録テーブルＴ（図９参照）に記載されている携帯電話１０Ｙ１に対してのみ、前述のようにして生成された電子写真Ｐ（図１０参照）のサムネイルデータを電子データとしてアンテナ部２２に無線送信させる（この際、無線送信の指向性は、上述のようにして撮影範囲Ｄに調節される）。
【００４８】
ステップ５；携帯電話１０Ｙ１のアンテナ１１（図２参照）は、送信機能付撮影装置２０から前述のようにして無線送信されてくるサムネイルデータを受信し、演算部１４（図２参照）は、その受信されたサムネイルデータをディスプレイ１３に表示させる。
【００４９】
携帯電話１０Ｙ１を携帯している被撮影者Ｙ１は、ディスプレイ１３（図２参照）に表示されたサムネイルデータを見て、キー部１２（図２参照）にそのサムネイルデータを選択させる。
【００５０】
そして、演算部１４（図２参照）は、その選択されたサムネイルデータに対応する電子写真Ｐ（図１０参照）の、蓄積サーバ３０側に対する配布要求をアンテナ１１に無線送信させる（無線送信された配布要求は、送信機能付撮影装置２０から蓄積サーバ３０側へ電子データとして無線送信された前述の電子写真Ｐの場合と同様に、無線通信中継基地局（図示省略）で中継され、インターネット１（図４参照）を介して蓄積サーバ３０に送信される）。
【００５１】
なお、電子写真Ｐの配布要求は、蓄積サーバ３０に電子写真が蓄積されている一定期間（本実施の形態においては一ヶ月間）内の任意の時点で行われればよいことは、いうまでもない。
【００５２】
ステップ６；蓄積サーバ３０の送受信部３１（図４参照）は、携帯電話１０Ｙ１からインターネット１を介して送信されてくる電子写真Ｐ（図１０参照）の配布要求を受信し、演算部１４（図４参照）は、前述のようにして蓄積部３２に蓄積されている電子写真の内、その配布要求を受信した電子写真Ｐを配布要求を行った携帯電話１０Ｙ１に対して送受信部３１に送信させる（送信された電子写真は、インターネット１（図４参照）を介して無線通信中継基地局（図示省略）で中継され、そこから携帯電話１０Ｙ１に対して無線送信される）。
【００５３】
かくして、携帯電話１０Ｙ１のアンテナ１１（図２参照）は、送信機能付撮影装置２０から前述のようにして無線送信されてくる電子写真Ｐ（図１０参照）を受信する。
【００５４】
もちろん、電子写真Ｐの受信にともなう購入代金の支払いが、通常のオンラインキャッシングなどによって行われてもよいことは、いうまでもない。
【００５５】
以上においては、本実施の形態１について詳細に説明した。
【００５６】
なお、撮影手段は、上述した本実施の形態においては、撮像部２１を含む手段であるが、これに限らず、要するに、被撮影者の撮影を行うための手段であればよい。
【００５７】
また、特定手段は、上述した本実施の形態においては、アンテナ部２２および演算部２３を含む手段であるが、これに限らず、要するに、撮影の範囲内に実質上存する携帯端末装置を特定するための手段であればよい。
【００５８】
また、送信手段は、上述した本実施の形態においては、アンテナ部２２を含む手段であるが、これに限らず、要するに、特定された携帯端末装置に対して撮影によって得られるデータを送信するための手段であればよい。
【００５９】
また、検出手段は、上述した本実施の形態においては、演算部２３を含む手段であるが、これに限らず、要するに、撮影の範囲を検出するための手段であればよい。
【００６０】
また、アンテナは、上述した本実施の形態においては、八木アンテナＡを含む手段であるが、これに限らず、たとえば、（１）指向性の狭いアンテナを並列して多数配設しておき、撮影範囲が広いときには全てのアンテナを使用し、撮影範囲が狭いときには中央の数個のみを使用する手段であってもよいし、（２）無線送信の指向性を左右する、無線送受信を行うための椀形部の面形状の曲率を自在に調節するためのメカニズムを有する手段であってもよいし、（３）指向性の狭いアンテナを回転させ、撮影範囲の一方の端部から他方の端部まで走査する手段であってもよく、要するに、無線送信の指向性を調節可能な手段であればよい。
【００６１】
なお、アンテナは、上述した本実施の形態においては、特定された携帯電話に対するサムネイルデータの無線送信にも利用可能であったが、これに限らず、たとえば、携帯端末装置の特定専用であってもよい。
【００６２】
また、携帯端末装置の特定は、上述した本実施の形態においては、検出される撮影範囲Ｄ内にアンテナ部２２から無線送信される呼びかけに対する携帯電話側からの応答を測定することによって行われた。しかし、これに限らず、携帯端末装置の特定は、たとえば、被撮影者の顔面や被撮影者の保持する所定の標識（たとえば、バーコードや名札など）と被撮影者の携帯する携帯電話のアドレスとの対応表をあらかじめ用意しておき、撮影の結果として得られる画像データを利用して、これら被撮影者の顔面や被撮影者の保持する所定の標識をパターン認識・解析することにより行われてもよい。
【００６３】
また、撮影によって得られるデータの送信は、上述した本実施の形態においては、特定された携帯電話の内の登録テーブルＴに登録されている携帯電話に対して行われたが、これに限らず、たとえば、特定された全ての携帯電話に対して行われてもよい。もちろん、たとえば、特定されなかった携帯電話（たとえば、携帯電話１０Ｙ２）が送信機能付撮影装置２０に要求を行うことによりサムネイルデータを送付してもらう機能が実装されていてもよい。
【００６４】
また、正規の撮影イメージの配布は、上述した本実施の形態においては、携帯電話に対して行われたが、これに限らず、たとえば、（１）被撮影者によって指定されたアカウントに対して行われてもよいし、（２）撮影者によって指定されたファイルサーバに対して行われてもよいし、（３）ＣＤ−ＲＯＭなどのリムーバブルメディアを利用して郵送で行われてもよい。
【００６５】
また、撮影イメージ蓄積手段は、上述した本実施の形態においては、蓄積部３２を含む手段であるが、これに限らず、要するに、撮影によって得られる正規の撮影イメージを蓄積するための手段であればよい。
【００６６】
また、正規の撮影イメージの撮影イメージ蓄積手段への蓄積は、上述した本実施の形態においては、無線通信中継基地局を中継する無線送信を利用して行われたが、これに限らず、たとえば、撮影装置のスティックメモリなどに一旦記憶されたデータをＰＣに転送した後に公衆回線を経由するアップロードを利用して行われてもよい。
【００６７】
また、表示手段は、上述した本実施の形態においては、ディスプレイ１３を含む手段であるが、これに限らず、要するに、送付される簡易データを表示するための手段であればよい。
【００６８】
また、要求手段は、上述した本実施の形態においては、キー部１２を含む手段であるが、これに限らず、要するに、表示された簡易データを選択し、その選択された簡易データに対応する正規の撮影イメージの配布を要求するための手段であればよい。
【００７０】
なお、上述した本発明または本発明に関連する発明のデータ送信システム、撮影装置、および携帯端末装置の全部または一部の手段（または、装置、素子、回路、部など）の機能をコンピュータにより実行させるためのプログラムであって、コンピュータと協働して動作するプログラムは、本発明に関連する発明である。もちろん、コンピュータは、ＣＰＵなどの純然たるハードウェアに限らず、ファームウェアやＯＳ、さらに周辺機器を含むものであっても良い。
【００７１】
また、上述した本発明に関連する発明のデータ送信方法の全部または一部のステップ（または、工程、動作、作用など）の動作をコンピュータにより実行させるためのプログラムであって、コンピュータと協働して動作するプログラムは、本発明に関連する発明である。
【００７２】
なお、本発明または本発明に関連する発明の一部の手段（または、装置、素子、回路、部など）、本発明に関連する発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【００７３】
また、本発明または本発明に関連する発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【００７４】
また、本発明に関連する発明のプログラムを記録した、コンピュータに読みとり可能な記録媒体も本発明に関連する発明に含まれる。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【００７５】
なお、本発明または本発明に関連する発明の構成は、ソフトウェア的に実現しても良いし、ハードウェア的に実現しても良い。
【００７６】
また、上述した本発明または本発明に関連する発明のデータ送信システム、撮影装置、および携帯端末装置の全部または一部の手段の全部または一部の機能をコンピュータにより実行させるためのプログラムを担持した媒体であり、コンピュータにより読み取り可能かつ読み取られた前記プログラムが前記コンピュータと協動して前記機能を実行する媒体は、本発明に関連する発明である。
【００７７】
また、上述した本発明に関連する発明のデータ送信方法の全部または一部のステップの全部または一部の動作をコンピュータにより実行させるためのプログラムを担持した媒体であり、コンピュータにより読み取り可能かつ読み取られた前記プログラムが前記コンピュータと協動して前記動作を実行する媒体は、本発明に関連する発明である。
【００７８】
【発明の効果】
以上説明したところから明らかなように、本発明は、たとえば、被撮影者への写真の配布を容易に行うことができるという長所を有する。
【図面の簡単な説明】
【図１】本発明の実施の形態１における被撮影者に映像を送信するシステムの構成図
【図２】本発明の実施の形態１における携帯電話１０Ｙ１の構成図
【図３】本発明の実施の形態１における送信機能付撮影装置２０の構成図
【図４】本発明の実施の形態１における蓄積サーバ３０の構成図
【図５】本発明の実施の形態１におけるズーミングの原理の説明図
【図６】本発明の実施の形態１におけるフォーカッシングの原理の説明図
【図７】本発明の実施の形態１における撮影範囲Ｄの検出の説明図
【図８】本発明の実施の形態１における無線送信の指向性の説明図
【図９】本発明の実施の形態１における登録テーブルＴの説明図
【図１０】本発明の実施の形態１における電子写真Ｐの説明図
【図１１】本発明の実施の形態１における被撮影者に映像を送信するシステムの動作フローチャート
【図１】
0004919545.tif 000002
【図２】
0004919545.tif 000003
【図３】
0004919545.tif 000004
【図４】
0004919545.tif 000005
【図５】
0004919545.tif 000006
【図６】
0004919545.tif 000007
【図７】
0004919545.tif 000008
【図８】
0004919545.tif 000009
【図９】
0004919545.tif 000010
【図１０】
0004919545.tif 000011
【図１１】
0004919545.tif 000012